(57)【要約】【課題】電子血圧計の測定結果が正しいか否かを判別することができる電子血圧計用圧力検査装置を提供する。【解決手段】電子血圧計用圧力検査装置１０は、容器２０、第一導管３０および第二導管４０を備える。容器２０は内部に形成された液体チャンバー２１、第一連通孔２２、第二連通孔２３および延長部２６を有する。液体チャンバー２１は液体を保管し、延長部２６は第二連通孔２３の末端から液体チャンバー２１内まで伸びて形成される。第一導管３０は末端で容器２０に接続され、第一連通孔２２を経由して液体チャンバー２１と連通することで、外部の空気は第一導管３０を経由して容器２０の液体チャンバー２１内に入り込む。第二導管４０は末端で容器２０に接続され、第二連通孔２３を経由して液体チャンバー２１と連通することで、液体チャンバー２１内の液体はチャンバー内の気体と大気圧の圧力差によって第二導管４０内に流入する。【選択図】図２
2012011034.tif 000002
【特許請求の範囲】
【請求項１】
内部に形成された液体チャンバーと、第一連通孔と、第二連通孔と、前記第二連通孔の末端から前記液体チャンバー内まで伸びて形成された延長部と、を有する容器と、
末端によって前記容器に接続され、前記第一連通孔を経由して前記液体チャンバーと連通する第一導管と、
末端によって前記容器に接続され、前記延長部と前記第二連通孔を経由して前記液体チャンバーと連通する第二導管と、
を備えることを特徴とする電子血圧計用圧力検査装置。
【請求項２】
前記容器は、前記第一連通孔の先端周縁から突出して形成され、前記第一導管と接続する接合部を有することを特徴とする請求項１に記載の電子血圧計用圧力検査装置。
【請求項３】
前記容器は、前記第二連通孔の先端周縁から突出して形成され、前記第二導管と接続する接合部を有することを特徴とする請求項１に記載の電子血圧計用圧力検査装置。
【請求項４】
前記第二導管に平行する目盛板を有するメーターを備えることを特徴とする請求項１に記載の電子血圧計用圧力検査装置。
【請求項５】
前記第二導管は、表面に目盛を有することを特徴とする請求項１に記載の電子血圧計用圧力検査装置。
【請求項６】
前記容器は、液体注入孔と、前記液体注入孔に着脱可能に設置されるキャップとを有することを特徴とする請求項１に記載の電子血圧計用圧力検査装置。
【請求項７】
前記延長部は、前記容器の底部に近い末端を有することを特徴とする請求項１に記載の電子血圧計用圧力検査装置。
【請求項８】
前記容器は、ねじ孔を有する容器本体と、
前記ねじ孔に締め付けられ、かつ第一連通孔、第二連通孔および延長部を有するキャップと、
を備えることを特徴とする請求項１に記載の電子血圧計用圧力検査装置。
【請求項９】
前記キャップは、前記第一連通孔の先端周縁から突出して形成された接合部を有し、前記第一導管と接続することを特徴とする請求項８に記載の電子血圧計用圧力検査装置。
【請求項１０】
前記キャップは、前記第二連通孔の先端周縁から突出して形成された接合部を有し、第二導管と接続することを特徴とする請求項８に記載の電子血圧計用圧力検査装置。
【請求項１１】
先端が前記延長部に接続され、末端が前記容器の底部に近い第三導管を有することを特徴とする請求項８に記載の電子血圧計用圧力検査装置。
【請求項１２】
前記第二導管に平行する目盛板を備えるメーターを有することを特徴とする請求項８に記載の電子血圧計用圧力検査装置。
【請求項１３】
前記第二導管は、表面に目盛を有することを特徴とする請求項８に記載の電子血圧計用圧力検査装置。
【請求項１４】
内部に形成された液体チャンバー、第一連通孔および第二連通孔を有する容器と、
末端によって前記容器の第一連通孔に嵌合され、前記第一連通孔を経由して前記液体チャンバーと連通する第一導管と、
前記第二連通孔を貫通し、前記液体チャンバー内に入り込むことによって前記液体チャンバーと連通する第二導管と、
を備えることを特徴とする電子血圧計用圧力検査装置。
【請求項１５】
前記第二導管に平行する目盛板を備えるメーターを有することを特徴とする請求項１４に記載の電子血圧計用圧力検査装置。
【請求項１６】
前記第二導管は、表面に目盛を有することを特徴とする請求項１４に記載の電子血圧計用圧力検査装置。
【請求項１７】
前記容器は、液体注入孔と、前記液体注入孔に着脱可能に設置されるキャップとを有することを特徴とする請求項１４に記載の電子血圧計用圧力検査装置。
【発明の詳細な説明】
【技術分野】
【０００１】
本発明は、電子血圧計用圧力検査装置に関するものである。
【背景技術】
【０００２】
市販の血圧計は、水銀式および電子式の二種類に分けられる。水銀式血圧計は精度が比較的高いが、使用するには、操作方法をあらかじめ覚える必要がある。また水銀含有製品を使用しないことは最近の環境保護の趨勢でもある。従って、高血圧患者が自宅で使用し、常に病状を把握するためには、電子式血圧計のほうが便利である。
【０００３】
しかしながら、電子式血圧計は環境要素の影響を受けて測定誤差が起こりやすいため、従来技術による電子式血圧計は精度の維持ができず、血圧を精確に測定する目的を達成できず、病状を誤って把握するおそれがある。
【先行技術文献】
【特許文献】
【０００４】
【特許文献１】特開２０１０−０６８９２２号公報
【発明の概要】
【発明が解決しようとする課題】
【０００５】
本発明の目的は、電子血圧計の測定結果が正しいか否かを判別することができる電子血圧計用圧力検査装置を提供することである。
【課題を解決するための手段】
【０００６】
上述の目的を達成するために、本発明による電子血圧計用圧力検査装置は、容器、第一導管および第二導管を備える。容器は内部に形成された液体チャンバー、第一連通孔、第二連通孔および延長部を有する。液体チャンバーは液体の保管に用いられ、延長部は第二連通孔の末端から液体チャンバー内まで伸びて形成される。第一導管は末端によって容器に接続され、第一連通孔を経由して液体チャンバーと連通することで、外部の空気は第一導管を経由して容器の液体チャンバー内に入り込む。第二導管は末端によって容器に接続され、第二連通孔を経由して液体チャンバーと連通することで、液体チャンバー内の液体はチャンバー内の気体と大気圧の圧力差によって第二導管内に流入する。
【０００７】
上述した構成により、第二導管の液面の高さと容器内の液体の高さとの差を水銀柱の圧力に換算し、換算した水銀柱の圧力値と電子血圧計によって測定された圧力値とを比較する。これにより、電子血圧計の測定結果が正しいか否かを判別することができる。
【図面の簡単な説明】
【０００８】
【図１】本発明の第１実施形態による電子血圧計用圧力検査装置を示す斜視図である。
【図２】本発明の第１実施形態による電子血圧計用圧力検査装置を示す断面図である。
【図３】本発明の第１実施形態による電子血圧計用圧力検査装置の使用状態を示す断面図である。
【図４】本発明の第１実施形態による電子血圧計用圧力検査装置に採用された表面に目盛を標示した第二導管を示す断面図である。
【図５】本発明の第２実施形態による電子血圧計用圧力検査装置を示す断面図である。
【図６】本発明の第３実施形態による電子血圧計用圧力検査装置を示す断面図である。
【発明を実施するための形態】
【０００９】
以下、本発明による電子血圧計用圧力検査装置を図面に基づいて説明する。
（第１実施形態）
【００１０】
図１〜図３に本発明の電子血圧計用圧力検査装置による第１実施形態を示す。
図１に示すように、本発明の第１実施形態による電子血圧計用圧力検査装置１０は、容器２０、第一導管３０および第二導管４０を備える。
【００１１】
図２に示すように、容器２０は、内部に形成された液体チャンバー２１、第一連通孔２２、第二連通孔２３、第一接合部２４、第二接合部２５、延長部２６、液体注入孔２７及びキャップ２８を有する。液体チャンバー２１は液体（例えば水）１２の保管に用いられる。第一接合部２４は、第一連通孔２２の先端周縁から突出して形成される。第二接合部２５は、第二連通孔２３の先端周縁から突出して形成される。延長部２６は、第二連通孔２３の末端周縁から液体チャンバー２１内まで伸びて形成され、延長部２６の末端が容器２０の底部に近い。液体注入孔２７は、液体１２の注入に用いられ、キャップ２８によって封じられるため、容器２０は密封される。
【００１２】
第一導管３０は、末端が容器２０の第一接合部２４に嵌合され、第一連通孔２２を経由して液体チャンバー２１と連通する。
第二導管４０は、末端が容器２０の第二接合部２５に嵌合され、第二連通孔２３を経由して液体チャンバー２１と連通する。
以上は、本発明による電子血圧計用圧力検査装置１０の構造についての詳細な説明である。続いて本発明の使用および特徴について説明を進める。
【００１３】
図３に示すように、まずキャップ２８を取り、水１２を液体チャンバー２１に八分目くらいまで注入し、キャップ２８を閉める。続いて第一導管３０の先端は電子血圧計（図中未表示）の送気管端と直接または間接に接続されることによって電子血圧計の圧力感知器が検出した圧力に等しい等圧空気が電子血圧計から誘導され、第一導管３０を経由して容器２０の液体チャンバー２１内に流入される。液体チャンバー２１内の水１２は、容器２０内部の圧力の上昇に伴い延長部２６および第二連通孔２３を通って第二導管４０内に流入し、第二導管４０の所定の高さまで上昇する。第二導管４０の水面の高さを測り、容器２０内の液体の高さを引いて差を算出し、続いてその差を水銀柱圧力に換算し、換算した水銀柱圧力値と電子血圧計によって測定された圧力値とを比較すれば、電子血圧計の測定結果が正しいか否かを判別することができる。
【００１４】
図1に示すように、本発明による電子血圧計用圧力検査装置１０はメーター５０を備える。メーター５０は第二導管４０に平行する目盛板５２を有し、第二導管４０の液面の高さはメーター５０の目盛板５２に反映される。メーター５０の目盛板５２上に表示された数値は容器２０内部の液体の密度に対応する。使用者は目盛板５２の数値を直接観察することにより、第二導管４０の液面の高さを容易に測ることができる。
【００１５】
目盛板の数値は、ミリメートル水柱に限らず、ミリメートル水銀柱、またはミリメートル水柱とミリメートル水銀柱を併せて使用してもよい。
図４に示すように、直接第二導管４０の表面に目盛４２を標示してもよい。
【００１６】
これにより、本発明による電子血圧計用圧力検査装置１０は、電子血圧計の測定結果が正しいか否かを確実に判別することができる。高血圧患者は電子血圧計を使用する際、電子血圧計用圧力検査装置１０の補助によって病状を把握する目的を達成することができる。
【００１７】
（第２実施形態）
図５には、本発明の第２実施形態による電子血圧計用圧力検査装置６０を示す。
図５に示すように、本発明の第２実施形態による電子血圧計用圧力検査装置６０は、容器６１、第一導管６４および第二導管６５を有する。容器６１は容器本体６２およびキャップ６３を有する。容器本体６２は液体の注入用ねじ孔６２２を有する。キャップ６３は容器本体６２のねじ孔６２２に締め付けられ、第一連通孔６３１、第二連通孔６３２、第一接合部６３３、第二接合部６３４および延長部６３５を有する。第一接合部６３３は、第一連通孔６３１の先端周縁から突出して形成され、第一導管６４との接続に用いられる。第二接合部６３４は、第二連通孔６３２の先端周縁から突出して形成され、第二導管６５との接続に用いられる。延長部６３５は第二連通孔６３２の末端周縁から液体チャンバー６２４内まで伸びて形成され、第三導管６６との接続に用いられる。第三導管６６の末端が容器６１の底部に近い。
【００１８】
上述した構成により、電子血圧計の圧力感知器が検出した圧力に等しい等圧空気は電子血圧計内から直接または間接に誘導され、第一導管６４から第一連通孔６３１を経由して液体チャンバー６２４に流入し、液体チャンバー６２４内の水は圧力差によって第三導管６６内に流入し、第二連通孔６３２を経由して第二導管６５内に流入し、第二導管６５の所定の高さまで上昇する。メーター６７によって液面の高さを測り、容器６１内の液体の高さを引いて差を算出し、続いてその差を水銀柱圧力に換算し、換算した水銀柱圧力値と電子血圧計によって測定された圧力値とを比較すれば、電子血圧計の測定結果が正しいか否かを判別することができる。
【００１９】
（第３実施形態）
図６に示すのは、本発明の第３実施形態による電子血圧計用圧力検査装置７０である。
図６に示すように、本発明の第３実施形態による電子血圧計用圧力検査装置７０は、容器７１、第一導管７２、第二導管７３、第一連通孔７１４及び第二連通孔７１６を有する。第一導管７２は、容器７１の第一連通孔７１４に嵌合される。第二導管７３は容器７１の第二連通孔７１６を貫通し、液体チャンバー７１２内に入り込み、液体チャンバー７１２と連通する。本実施形態の使用および特徴は第１実施形態と同じであるため、詳細な説明を省略する。
【００２０】
以上、本発明は、上記実施形態になんら限定されるものではなく、発明の趣旨を逸脱しない範囲において、部品の取換えまたは変更により、種々の形態で実施可能である。
【符号の説明】
【００２１】
（第１実施形態）
１０  ・・・電子血圧計用圧力検査装置、
１２  ・・・液体（水）、
２０  ・・・容器、
２１  ・・・液体チャンバー、
２２  ・・・第一連通孔、
２３  ・・・第二連通孔、
２４  ・・・第一接合部、
２５  ・・・第二接合部、
２６  ・・・延長部、
２７  ・・・液体注入孔、
２８  ・・・キャップ、
３０  ・・・第一導管、
４０  ・・・第二導管、
４２  ・・・目盛、
５０  ・・・メーター、
５２  ・・・目盛板、
（第２実施形態）
６０  ・・・電子血圧計用圧力検査装置、
６１  ・・・容器、
６２  ・・・容器本体、
６２２・・・ねじ孔、
６２４・・・液体チャンバー、
６３  ・・・キャップ、
６３１・・・第一連通孔、
６３２・・・第二連通孔、
６３３・・・第一接合部、
６３４・・・第二接合部、
６３５・・・延長部、
６４  ・・・第一導管、
６５  ・・・第二導管、
６６  ・・・第三導管、
６７  ・・・メーター、
（第３実施形態）
７０  ・・・電子血圧計用圧力検査装置、
７１  ・・・容器、
７１２・・・液体チャンバー、
７１４・・・第一連通孔、
７１６・・・第二連通孔、
７２  ・・・第一導管、
７３  ・・・第二導管。
【図１】
2012011034.tif 000003
【図２】
2012011034.tif 000004
【図３】
2012011034.tif 000005
【図４】
2012011034.tif 000006
【図５】
2012011034.tif 000007
【図６】
2012011034.tif 000008